(57)【要約】      （修正有）【課題】ワゴン同士の連結が確実になるとともに、ワゴン同士の連結および切離し操作が迅速に行われて、省力化が可能となるワゴン連結固定装置を提供する。【解決手段】ワゴン１同士を連結するには、当接辺部６ａ、６ｂを両棒状フレーム部４に押し込むことでよく、ワゴン１同士を切り離すには、磁石体７の磁気吸着力に抗して保持具６の挟持部６ｃを両棒状フレーム部４から引き外せばよい。このため、ワゴン１同士の連結が確実に行われ、強風に煽られてもワゴン１同士が別々に離れることがない。しかも、挟持部６ｃを両棒状フレーム部４に押し込んだり、両棒状フレーム部４から引き外すといった簡単なワンタッチ操作で、ワゴン１同士の素早い連結および切り離しが可能となる。【選択図】図１
0003160692.tif 000002
【実用新案登録請求の範囲】
【請求項１】
磁性体製の棒状フレーム部を有し、店舗の内外に展示販売用の商品を乗せて移動させる複数のワゴン同士を横並びに連結する保持具を備えたワゴン連結固定装置において、
前記保持具は、
左右両側に設けられた当接辺部と、
一方の前記ワゴンの前記棒状フレーム部と他方の前記ワゴンの前記棒状フレーム部とを並列させた状態で配し、並列する両棒状フレーム部を前記左右両側の当接辺部の間に挟むことにより挟持する架橋辺部と、
前記架橋辺部に取り付けられ、磁気吸着力により前記両棒状フレーム部に対する前記架橋辺部の挟持状態を保持する磁石体とから成る挟持部を有することを特徴とするワゴン連結固定装置。
【請求項２】
前記挟持部の前記架橋辺部は、前記左右両側の当接辺部を架橋状態に結ぶために平坦面状に形成されており、前記左右両側の当接辺部とともにコの字状を成すことを特徴とする請求項１に記載のワゴン連結固定装置。
【請求項３】
前記挟持部の前記架橋辺部は、前記左右両側の当接辺部を架橋状態に結ぶために湾曲面状に形成され、前記両棒状フレーム部に嵌合する半円筒状を成すことを特徴とする請求項１に記載のワゴン連結固定装置。
【請求項４】
前記挟持部は一対となっており、一対の前記挟持部により前記両棒状フレーム部を両側から挟持することを特徴とする請求項１に記載のワゴン連結固定装置。
【請求項５】
前記磁石体は、細長辺状を成して前記当接辺部の前記挟持部とは反対側の外側端部に接着剤を用いて取り付けられていることを特徴とする請求項１に記載のワゴン連結固定装置。
【請求項６】
前記磁石体は、前記左右両側の当接辺部のうち一方の内面側に支持ブラケットを介して螺子部材により取り付けられていることを特徴とする請求項１に記載のワゴン連結固定装置。
【請求項７】
前記左右両側の当接辺部は、内側に折曲することにより形成されたＶ字突部を有し、前記Ｖ字突部が前記両棒状フレーム部に押し当てられた時、前記左右両側の当接辺部を一時的に弾性拡開させて前記両棒状フレーム部を内部に受容し、前記両棒状フレーム部に対する抜け止めとなることを特徴とする請求項１に記載のワゴン連結固定装置。
【請求項８】
前記磁石体は、前記挟持部の内面全域にわたって層状に付着形成されていることを特徴とする請求項１に記載のワゴン連結固定装置。
【考案の詳細な説明】
【技術分野】
【０００１】
本考案は、スーパーマーケットなどの規模の大きな店舗で、商品をワゴンに載せて展示販売するワゴン連結固定装置に係り、とりわけ複数のワゴンを店舗の敷地に並べて用いる場合に好適となるワゴン連結固定装置に関する。
【背景技術】
【０００２】
ワゴンとしては、荷物運搬用の台車や倉庫などで商品の運送に用いる手押し運搬ワゴンが知られている（例えば、特許文献１、２参照）。
特許文献１では、台車連結具により多数の台車を上下に積み重ねて収納する構造を改良したワゴンとして用いられている。
特許文献２では、複数のワゴンの相互間において、一方のワゴンの内側に他方のワゴンを順に押し重ねるようにして収納している。
【先行技術文献】
【特許文献】
【０００３】
【特許文献１】特開２００６−１１１０６８号公報
【特許文献２】特開昭６３−１１６９７７号公報
【考案の概要】
【考案が解決しようとする課題】
【０００４】
特許文献１、２のワゴンとは使用方法が異なるが、規模の大きな量販店では、商品などを積み込んだ複数のワゴンを店外の敷地に運び出し、横長に連結して並べ、商品を顧客の間近に展示して集客性を高めるとともに、訪れる顧客の購買意欲を促している。
この際、戸外に生じる強風などによりワゴンが移動することがないように、ワゴン同士を連結固定している。この連結固定に用いる連結具は、ワゴン同士を繋ぐ紐部材であり、紐部材の結び操作や結びを解く操作が面倒となり、連結および切離し操作性が悪いという不都合がある。
【０００５】
実際に店外で展示販売を行う場合、１０数台にのぼるワゴンを連結することが多く、ワゴン同士の連結および切離し操作性が悪いと、ワゴンの設置や後かたずけに時間がかかって省力化を果たせない不都合がある。
【０００６】
本考案は、上記の事情を背景としてなされ、その目的はワゴン同士の連結が確実になるとともに、ワゴン同士の連結および切離し操作が迅速に行われるようになり、省力化が図られてワゴンの設置や後かたずけが面倒とならず短時間で済むワゴン連結固定装置を提供することにある。
【課題を解決するための手段】
【０００７】
（請求項１について）
ワゴン連結固定装置は、磁性体製の棒状フレーム部を有し、店舗の内外に展示販売用の商品を乗せて移動させる複数のワゴン同士を横並びに連結する保持具を備えている。保持具は、左右両側に設けられた当接辺部、架橋辺部と磁石体とから成る挟持部を有する。
架橋辺部は、一方のワゴンの棒状フレーム部と他方のワゴンの棒状フレーム部とを並列させた状態で配され、並列状態の両棒状フレーム部を左右両側の当接辺部の間に挟むことにより挟持する。磁石体は架橋辺部に取り付けられ、磁気吸着力により両棒状フレーム部に対する架橋辺部の挟持状態を保持する。
【０００８】
この場合、ワゴン同士を連結するには、左右両側の当接辺部を棒状フレーム部に押し込むことでよく、ワゴン同士を切り離すには、磁石体の磁気吸着力に抗して挟持部を棒状フレーム部から引き外せばよい。
このため、ワゴン同士の連結が確実に行われ、戸外で強風に煽られてもワゴン同士が別々に移動せず、不用意に離れることがない。また、挟持部を棒状フレーム部に押し込んだり、棒状フレーム部から引き外すといった簡単なワンタッチ操作で、ワゴン同士の連結および切り離しが可能となる。
この結果、ワゴン同士の連結および切り離し操作が迅速に行われるようになり、ワゴン同士の連結および切離し作業の省力化が図られてワゴンの設置や後かたずけが面倒とならず短時間で済ますことができる。
【０００９】
（請求項２について）
挟持部の架橋辺部は、左右両側の当接辺部を架橋状態に結ぶために平坦面状に形成されており、左右両側の当接辺部とともにコの字状を成す。
この場合、挟持部をコの字状に形成するといった簡素な構造で、保持具を実現できるため、コスト的にも有利となる。
【００１０】
（請求項３について）
挟持部の架橋辺部は、左右両側の当接辺部を架橋状態に結ぶために湾曲面状に形成されており、両棒状フレーム部に嵌合する半円筒状を成す。
この場合、架橋辺部を半円筒状に形成するといった簡素な構造で、保持具を実現できるため、請求項２と同様にコスト的に有利となる。
【００１１】
（請求項４について）
保持具の挟持部は一対となっており、一対の挟持部により両棒状フレーム部を両側から挟持する。このため、両棒状フレーム部に対する挟持部の挟持状態が強固となり、挟持部による両棒状フレーム部の連結が確実に行われる。
【００１２】
（請求項５について）
磁石体は、細長辺状を成して当接辺部の挟持部とは反対側の外側端部に接着剤を用いて取り付けられている。これにより、磁石体の取付けが簡素な構造で実現し、コストの節減に寄与することができる。
【００１３】
（請求項６について）
磁石体は、左右両側の当接辺部のうち一方の内面側に支持ブラケットを介して螺子部材により取り付けられている。これにより、磁石体が螺子部材で当接辺部に強固に固定されるので、長期の使用にわたっても、磁石が不用意に外れることがない。
【００１４】
（請求項７について）
左右両側の当接辺部は、内側に折曲することにより形成されたＶ字突部を有する。Ｖ字突部は、両棒状フレーム部に押し当てられた時、左右両側の当接辺部を一時的に弾性拡開して両棒状フレーム部を内部に受容し、両棒状フレーム部に対する抜け止めとなる。
この場合、抜止めを成すＶ字突部が当接辺部を内側に折曲するといった簡素な構造により実現するので、コスト的にも有利である。
【００１５】
（請求項８について）
磁石体は、挟持部の内面全域にわたって層状に付着形成されているので、両棒状フレーム部に対する磁気吸着力を強化することができる。
【図面の簡単な説明】
【００１６】
【図１】保持具により連結固定したワゴンを示す斜視図である（実施例１）。
【図２】保持具の拡大分解斜視図である（実施例１）。
【図３】（ａ）、（ｂ）は両棒状フレーム部と保持具の斜視図である（実施例２、３）。
【図４】両棒状フレーム部を連結する一対の保持具を示す斜視図である（実施例４）。
【図５】（ａ）は両棒状フレーム部に嵌合する直前の保持具を示す斜視図、（ｂ）は両棒状フレーム部に嵌合した保持具を示す斜視図である（実施例５）。
【図６】（ａ）、（ｂ）は保持具の斜視図である（実施例６、７）。
【考案を実施するための形態】
【００１７】
商品の展示販売のため、複数のワゴンが横並びで連結された店舗の敷地において、ワゴン同士の連結が確実に行われ、戸外で強風に煽られてもワゴン同士が別々に移動せず、不用意に離れてしまうことがない。また、ワゴン同士の連結および切離し操作が迅速に行われるので、ワゴン同士の連結および切離し作業の省力化が図られて、ワゴンの設置や後かたずけが面倒にならず短時間で済む。
【実施例】
【００１８】
〔実施例１の構成〕
本考案の実施例１を図１および図２に基づいて説明する。
複数台のワゴン１は、図１に示すように、互いに隣接するように設けられており、展示販売用の商品（図示せず）を積み込み、店舗の内外に移動できるようになっている。ワゴン１は上部に商品の展示棚２を備えた矩形箱状のフレーム構造３を有し、例えばスーパーマーケットなどの大規模な量販形の店舗における戸外の敷地に、横並びの一列に連結されて設置される。
【００１９】
フレーム構造３は、断面円形の中空パイプを曲成した磁性体製の棒状フレーム部４から成っており、底部の四隅には移動用のキャスター５を取り付けている。
なお、図１では、３台のワゴン１を設けているが、店舗の敷地には６台から１０数台のワゴン１を一列に並べて設置することも多い。また、各ワゴン１のキャスター５は、横方向に並ぶ２個ずつを図示した。
【００２０】
隣接するワゴン１同士を連結固定する保持具６は、図１および図２に示すように、挟持部６ｃとして設けられている。挟持部６ｃは、左右両側に設けた当接辺部６ａ、６ｂと平坦面状に形成された架橋辺部６ｄとからコの字状に形成されている。架橋辺部６ｄは、左右両側の当接辺部６ａ、６ｂ同士を架橋状態に結ぶものである。
挟持部６ｃは上述の構造を有するため、例えば、金属帯板の左右両辺部を当接辺部６ａ、６ｂとしてプレス装置により同一方向で直角に折り曲げることにより簡単に形成することができる。当接辺部６ａ、６ｂおよび架橋辺部６ｄの各幅寸法および長さ寸法は、使用状況や設置状況に応じて所望に大小変更することができる。
【００２１】
当接辺部６ａの内面側には、例えばネオジウム磁石から成る薄板矩形状の磁石体７が取り付けられている。磁石体７を取り付けるには、図２に取付構造体Ｇとして示すように、螺子部材９を磁石体７に支持ブラケット８および当接辺部６ａと一緒に貫通させ、当接辺部６ａから外部に突出する螺子部材９の端部９ａにワッシャ１０を介してナット１１で締め付ける。
【００２２】
保持具６を取り付けるには、図１に示すように、隣接するワゴン１同士の両棒状フレーム部４を並列させた状態で、両棒状フレーム部４を左右両側の当接辺部６ａ、６ｂの間に挟む。
この際、棒状フレーム部４に対する磁石体７の磁気吸着力により、当接辺部６ａによる両棒状フレーム部４の挟持状態が保持され、ワゴン１同士が両棒状フレーム部４を介して横並び一列に連結固定される。
なお、当接辺部６ａ、６ｂの間の内側間隔Ｌは、両棒状フレーム部４の外殻幅寸法Ｄと略等しく設定されている。
【００２３】
〔実施例１の効果〕
上記構成で、ワゴン１同士を連結するには、挟持部６ｃの左右両側の当接辺部６ａを両棒状フレーム部４に押し込むことでよく、ワゴン１同士を切り離すには、磁石体７の磁気吸着力に抗して挟持部６ｃを両棒状フレーム部４から引き外せばよい。
【００２４】
このため、ワゴン１同士の連結が確実に行われ、戸外で強風に煽られてもワゴン１同士が別々に移動せず、不用意に離れることがない。また、挟持部６ｃを両棒状フレーム部４に押し込み、両棒状フレーム部４から引き外すといった簡単なワンタッチ操作で、ワゴン１同士の連結および切り離しが可能となる。
【００２５】
この結果、ワゴン１同士の連結および切り離し操作が迅速に行われるようになり、ワゴン１同士の連結および切り離し作業の省力化が図られ、ワゴン１の設置や後かたずけが面倒とならず短時間で済ますことができる。
また、挟持部６ｃをコの字状に形成するといった簡素な構造で、保持具６を実現できるため、コスト的にも有利となる。
また、磁石体７は、当接辺部６ａに螺子部材９により取り付けられているため、磁石体７が螺子部材９で当接辺部６ａに強固に固定されるようになり、長期の使用にわたって磁石体７が不用意に外れることがない。
【００２６】
〔実施例２〕
図３（ａ）は本考案の実施例２を示す。実施例２が実施例１と異なるところは、保持具６が両棒状フレーム部４に細径部が存する場合に対処できるように保持具６を形成したことである。
この場合、両棒状フレーム部４に細径部として形成された窄み部１ａに対応するように架橋辺部６ｄの内側幅を設定している。
【００２７】
すなわち、当接辺部６ａ、６ｂの間の内側間隔Ｌは、両棒状フレーム部４における窄み部１ａの外殻幅寸法Ｄ１に等しく設定されている。当接辺部６ａ、６ｂの幅寸法ｈは、窄み部１ａの長さ寸法Ｈに等しく設定されている。
架橋辺部６ｄを窄み部１ａに装着すると、架橋辺部６ｄが窄み部１ａに嵌合し、架橋辺部６ｄが窄み部１ａに強固に取り付けられる。
【００２８】
実施例２では、両棒状フレーム部４に窄み部１ａが設けられているので、挟持部６ｃを窄み部１ａに嵌合するといった簡素な構造で保持具６を実現できるため、実施例１と同様にコスト的に有利となる。
なお、実施例２では、実施例１の取付構造体Ｇに代わって、エポキシ系樹脂などの接着剤（図示せず）により磁石体７を当接辺部６ａに取り付けている。
【００２９】
〔実施例３〕
図３（ｂ）は本考案の実施例３を示す。実施例３が実施例１と異なるところは、保持具６の挟持部６ｃとして２個の半筒部６ｆ、６ｇを並列させた状態で一体形成した双胴半筒部６ｈを設けたことである。半筒部６ｆ、６ｇは、両棒状フレーム部４のそれぞれに対応する形状に設定されている。
この場合、保持具６を両棒状フレーム部４に取り付けると、双胴半筒部６ｈの半筒部６ｆ、６ｇが両棒状フレーム部４に密着して嵌合するので、ワゴン１同士の連結状態が良好になる。
【００３０】
〔実施例４〕
図４は本考案の実施例４を示す。実施例４が実施例１と異なるところは、保持具６を一対の挟持部６ｃから構成し、架橋辺部６ｄを湾曲させて半円筒状に形成し、一対の挟持部６ｃにより両棒状フレーム部４を両側から挟持するようにしたことである（図４の二点鎖線参照）。
【００３１】
この場合、保持具６の挟持部６ｃが両棒状フレーム部４を両側から取り囲むようになるので、両棒状フレーム部４に対する挟持部６ｃの挟持状態が強固となり、挟持部６ｃによる両棒状フレーム部４の連結が一層確実となる。
これに伴い、両棒状フレーム部４を矢印Ｓ、Ｔで示す方向に回動し易くなり、ワゴン１同士を一列ではなく、簡単な回動操作で所定の角度を成すように変更する際に好都合となる。
なお、実施例４でも、実施例１の取付構造体Ｇに代わって、接着剤（図示せず）により磁石体７を当接辺部６ａに取り付けている。
【００３２】
〔実施例５〕
図５は本考案の実施例５を示す。実施例５が実施例１と異なるところは、左右両側の当接辺部６ａ、６ｂを内側に折曲することにより形成されたＶ字突部６Ａ、６Ｂを設けたことである。
【００３３】
Ｖ字突部６Ａ、６Ｂは、図５（ａ）に示すように、両棒状フレーム部４に押し当てられた時、図５（ｂ）に示すように、左右の当接辺部６ａ、６ｂが一時的に弾性拡開して両棒状フレーム部４を内部に受容し、両棒状フレーム部４に対する抜け止めとなる。
この場合、抜止めを成すＶ字突部６Ａ、６Ｂは、当接辺部６ａ、６ｂを内側に折曲するといった簡素な構造で実現でき、コスト的に有利である。
なお、実施例５では、実施例１に比較して架橋辺部６ｄを長尺にするとともに、取付構造体Ｇを架橋辺部６ｄの内面部に設けた。
【００３４】
〔実施例６〕
図６（ａ）は本考案の実施例６を示す。実施例６が実施例１と異なるところは、保持具６の架橋辺部６ｄを湾曲させ、両棒状フレーム部４に対応する半円筒状に形成し、当接辺部６ａ、６ｂの各外側端部に細長辺状の磁石体１４を接着剤（図示せず）を用いて取り付けたことである。
この場合、架橋辺部６ｄを半円筒状に形成するといった簡素な構造で、保持具６を実現できるとともに、接着剤による磁石体１４の取付構造が簡素となり、コストの節減に寄与することができる。
なお、実施例６では、保持具６の挟持部６ｃに、周方向に沿って帯状の開口部６ｍを設け、開口部６ｍの肉取りにより全体の材料を節約して軽量化とともに、コストの節減化を図っている。
【００３５】
〔実施例７〕
図６（ｂ）は本考案の実施例７を示す。実施例７が実施例６と異なるところは、磁石体１５を、当接辺部６ａ、６ｂおよび挟持部６ｃの各内面全域にわたって層状に付着形成したことである。
この場合、磁石体１５には、バインダーとしてのゴムにフェライト粉末（いずれも図示せず）を配合分散させたゴム磁石を用いており、棒状フレーム部４に対する磁気吸着力を強化することができる。
【００３６】
〔変形例〕
（ａ）実施例１では、磁石体７を当接辺部６ａに取り付けたが、当接辺部６ａに限らず挟持部６ｃのいずれの位置でもよく、要は磁石体７の磁気吸着力が棒状フレーム部４に及ぶ箇所であればよい。
（ｂ）棒状フレーム部４は、断面円形の中空パイプから構成したが、中空パイプは断面円形に限らず、断面矩形、断面楕円形あるいは断面多角形であってもよい。棒状フレーム部４は、中空パイプに限らず中実パイプから構成してもよい。
【００３７】
（ｃ）ワゴン１の後かたずけ時、保持具６を両棒状フレーム部４から取り外した後は、展示棚２に載せて保管するようにしてもよい。
（ｄ）磁石体７としてネオジウム磁石を用いたが、ネオジウム磁石に代わって、ＫＳ鋼、ＭＫ鋼、アルニコ磁石、フェライト磁石、サマリウムコバルト磁石、あるいは磁石と磁性体とを組み合わせた複合磁石を用いてもよい。
【産業上の利用可能性】
【００３８】
本考案のワゴン連結固定装置では、商品の展示販売のため、多数のワゴンが横並びに連結された店舗の敷地において、ワゴン同士の連結が確実であり、戸外で強風に煽られてもワゴン同士が別々に移動せず、不用意に離れてしまうことがない。また、ワゴン同士の連結および切り離し操作が迅速に行われるので、連結および切り離し作業の省力化が図られ、ワゴンの設置や後かたずけが面倒にならず短時間で済む。このため、関係業界の需要を喚起し、必要部品の流通を介して機械産業に適用することができる。
【符号の説明】
【００３９】
１      ワゴン
２      展示棚
３      フレーム構造
４      棒状フレーム部
６      保持具
６Ａ、６Ｂ  Ｖ字突部
６ａ、６ｂ  当接辺部
６ｃ    挟持部
６ｄ    架橋辺部
７、１４、１５  磁石体
８      支持ブラケット
９      螺子部材
１１    ナット
Ｇ      取付構造体
【図１】
0003160692.tif 000003
【図２】
0003160692.tif 000004
【図３】
0003160692.tif 000005
【図４】
0003160692.tif 000006
【図５】
0003160692.tif 000007
【図６】
0003160692.tif 000008